(57)【特許請求の範囲】
【請求項１】
移動中に消費されるべき食品および／または飲物用の容器であって：
移動中に消費されるべき少なくとも１つの食品を含有するための、または移動中に消費されるべき食品または飲物を含有する第１の受け器を支持するための、少なくとも第１のホルダ（３）を形成する第１の部分（２４）；および
前記第１の部分（２４）に接続されかつ移動中に消費されるべき少なくとも１つの食品または飲物を含有する第２の受け器を支持するための、少なくとも第２のホルダ（４）を形成する少なくとも第２の部分（２５）；を備え、
前記容器（１）の使用のための位置において、前記第１のホルダ（３）および前記第２のホルダ（４）が、一方が他方の上に、かつ一方が他方の下に配置され、ならびに、それらがユーザに、食品をそれに挿入してかつ食品をそれから除去するための、または前記第１の受け器をそれぞれ挿入してかつ除去するための前記第１のホルダ（３）への、および前記第２の受け器をそれに／から挿入してかつ除去するための前記第２のホルダ（４）への、両方への独立アクセスを可能にするような方法で互いに間隔を置かれることを特徴とし、かつまた、それがさらに、前記第１の部分（２４）におよび前記第２の部分（２５）に固定されてかつ下部ホルダへの上方からのアクセスのための少なくとも１つの開口（２９）を形成する少なくとも１つの第３の接続部分（２８）を備え、
前記第１のホルダ（３）内にまたは前記第２のホルダ（４）内に挿入される受け器を上部から保持するための第２の保持手段を備え、
前記第２の保持手段が、それらが前記受け器をロックしてその除去を防ぐ第１の位置とそれらがその除去を可能にする第２の位置との間を移動することが可能な１つ以上のロックタブ（２３）を備えることを特徴とする容器。
【請求項２】
前記第１のホルダ（３）が、前記第２のホルダ（４）より上に配置されることを特徴とし、かつ前記第２の部分（２５）が、リングの形状を有すること、および前記第２のホルダ（４）がそのリングの内側部分によって形成されることを特徴とする請求項１に記載の移動中に消費されるべき食品および／または飲物用の容器。
【請求項３】
前記第１のホルダ（３）が、前記第２のホルダ（４）より上に配置されることを特徴とし、かつ前記第１の部分（２４）が、リングの形状を有すること、および前記第１のホルダ（３）がそのリングの内側部分によって形成され、かつ、第１の受け器だけを支持するように設計されていることを特徴とする請求項１または２に記載の移動中に消費されるべき食品および／または飲物用の容器。
【請求項４】
前記第１のホルダ（３）内にまたは前記第２のホルダ（４）内に配置される受け器を底部から保持するための少なくとも第１の保持手段（３０）を備えることを特徴とする請求項１、２または３に記載の移動中に消費されるべき食品および／または飲物用の容器。
【請求項５】
リングの形状を有する前記第２の部分（２５）によって、または、リングの形状を有する前記第１の部分（２４）によってそれぞれ形成されるリングの内側部分が、下方へ減少する断面を有し、したがって、前記第１の保持手段（３０）を形成することを特徴とする請求項４に記載の移動中に消費されるべき食品および／または飲物用の容器。
【請求項６】
前記第１の保持手段（３０）が、前記第１のホルダ（３）内にまたは前記第２のホルダ（４）内にそれぞれ取り付けられる少なくとも１つの底部要素（２１）を備えることを特徴とする請求項４または５に記載の移動中に消費されるべき食品および／または飲物用の容器。
【請求項７】
前記第１の保持手段（３０）が、前記第１のホルダ（３）内にまたは前記第２のホルダ（４）内にそれぞれ配置されて、かつ前記第１のホルダ（３）および前記第２のホルダ（４）の内部の方へカンチレバー−スタイルで延伸する１つ以上の突出要素（３７）を備えることを特徴とする請求項４または５に記載の移動中に消費されるべき食品および／または飲物用の容器。
【請求項８】
前記第２の保持手段が、前記受け器の上部がその中に挿入されることができる少なくとも１つのスリット（３４）を備えることを特徴とする請求項１〜７のうちいずれかに記載の移動中に消費されるべき食品および／または飲物用の容器。
【請求項９】
前記第１のホルダ（３）および前記第２のホルダ（４）が、互いに位置合わせされることを特徴とする請求項１〜８のうちいずれかに記載の移動中に消費されるべき食品および／または飲物用の容器。
【請求項１０】
前記第１の部分（２４）が、少なくとも下壁（２６）および前記下壁（２６）に連結される少なくとも周辺横方向壁（２７）を備え、したがって、前記周辺横方向壁（２７）と共に少なくとも前記第１のホルダ（３）を形成することを特徴とする請求項１〜９のうちいずれかに記載の移動中に消費されるべき食品および／または飲物用の容器。
【請求項１１】
それがさらに、支持用ハンドル（３３）を備えることを特徴とする請求項１〜１０のうちいずれかに記載の移動中に消費されるべき食品および／または飲物用の容器。
【請求項１２】
それ自体の上に折り曲げられてかつ接着されるかまたは固定される平坦な硬いまたは半分硬い材料（２）の単一部材でできていることを特徴とする請求項１〜１１のうちいずれかに記載の移動中に消費されるべき食品および／または飲物用の容器。
【請求項１３】
移動中に消費されるべき少なくとも１つの食品を含有するための第１のホルダ（３）および飲物を含有する受け器を支持するための少なくとも第２のホルダ（４）を備える、移動中に消費されるべき食品および／または飲物用の容器（１）を製造する方法であって、そこにおいて、前記容器（１）の使用のための位置において、前記第１のホルダ（３）および前記第２のホルダ（４）が、一方が他方の上に、かつ一方が他方の下に配置され、ならびに、それらがユーザに、食品をそれに挿入してかつ食品をそれから除去するための前記第１のホルダ（３）への、および前記第２の受け器をそれに／から挿入してかつ除去するための前記第２のホルダ（４）への、両方への独立アクセスを可能にするような方法で互いに間隔を置かれ、それが以下の動作ステップ、すなわち：
上縁部（５）、下縁部（６）および２つの横方向縁部（７）を備える平坦な硬いまたは半分硬い材料（２）の部材を利用するステップ；
残りの材料に接続される材料のフラップ（１０）の材料内の境界を決めるために前記材料（２）の部材内に主にＵ型の切れ目（９）を造るステップであって、前記切れ目（９）の方向が、前記Ｕの上部が前記上縁部（５）に向かうようであるステップ；
前記材料のフラップが、少なくとも部分的に反対側に配置され、かつ前記材料のフラップ（１０）と前記上縁部（５）との間に位置する前記材料の部分から間隔を置かれるまで、少なくとも前記上縁部（５）の方へ前記残っている材料に対して前記材料のフラップ（１０）を折り曲げるステップ；
それらが、前記材料の折り曲げられたフラップ（１０）上に、および少なくとも前記下縁部（６）で互いの上に、の両方に少なくとも部分的に重ね合わせられるまで、前記横方向縁部（７）に隣接した前記材料の横方向部分（１６）を互いの方へ折り曲げるステップ；および、
前記材料のフラップ（１０）および前記他の折り曲げられた横方向部分（１６）を適所に固定するステップを含むことを特徴とする方法。
【請求項１４】
前記横方向縁部（７）と隣接している前記材料の横方向部分（１６）を折り曲げる前記ステップが、前記容器（１）が前記下縁部（６）の方へ前記上縁部（５）から減少している断面を有するような方法で前記上縁部（５）でと比べて前記下縁部（６）でより多く前記材料を折り曲げるステップを含むこと特徴とする請求項１３に記載の方法。
【請求項１５】
第１の受け器を支持するための第１のホルダ（３）および第２の受け器を支持するための少なくとも第２のホルダ（４）を備える、移動中に消費されるべき食品および／または飲物用の容器（１）を製造する方法であって、そこにおいて、前記容器（１）の使用のための位置において、前記第１のホルダ（３）および前記第２のホルダ（４）が、一方が他方の上に、かつ一方が他方の下に配置され、ならびに、それらがユーザに、前記第１の受け器を挿入してかつ除去するための前記第１のホルダ（３）への、および前記第２の受け器をそれに／から挿入してかつ除去するための前記第２のホルダ（４）への、両方への独立アクセスを可能にするような方法で互いに間隔を置かれ、それが以下の動作ステップ、すなわち：
上縁部（５）、下縁部（６）および２つの横方向縁部（７）を備える平坦な硬いまたは半分硬い材料（２）の部材を利用するステップ；
前記材料（２）の部材の中央領域内に貫通開口部（２９）を造るステップ；
それらが、前記下縁部（６）および前記上縁部（５）の両方で少なくとも部分的に重ね合わせられるまで前記横方向縁部（７）に隣接した前記材料の横方向部分（１６）を互いの方へ折り曲げるステップ；および、
前記折り曲げられた横方向部分（１６）を適所に固定するステップ；を含み、
前記横方向縁部（７）と隣接している前記材料の横方向部分（１６）を折り曲げる前記ステップが、前記容器（１）が前記下縁部（６）の方へ前記上縁部（５）から減少している断面を有するような方法で前記上縁部（５）でと比べて前記下縁部（６）でより多く材料を折り曲げるステップを含むことを特徴とする方法。
【発明の詳細な説明】
【技術分野】
【０００１】
本発明は、移動中に消費されるべき食品および／または飲物用の容器およびそれを製造するための方法に関する。
【背景技術】
【０００２】
毎日の生活の多くの場合で、人々は、立つまたは歩く間に彼らが飲食する必要がある状況に置かれる場合がある。例えばそれは、軽食、パーティー、その他の場面、およびファーストフード小売店から購入されて移動中に消費される食品の場合の両方で起こる可能性がある。例えば、人は一方の手でフレンチフライを、もう一方の手で飲物を含有するカップまたは小さなボトルを買うことができる。本発明は、後者のセクターを主に対象とする。
【０００３】
これらの状況では、問題は両方の手が一杯（食品で片手および飲物でもう一方の手）であるので、何もこぼさずに食べることは困難であるということである。
【０００４】
この理由のために、長年にわたって、人が片手を用いて食品容器および飲物受け器の両方を支持することを可能にする一連の解決策が開発されてきた。
【０００５】
例えば、（特許文献１）が、片手でプレートおよびカップの両方を支持するのに用いられることができる複合支持物を記述する。
【０００６】
別の例が（特許文献２）内に記述され、食品用のチューブ状容器の上部が、飲物を含有するカップがその中に挿入されることができるホルダを備えている。食品は、チューブ状容器の底で開けられるドアを通して除去される。
【０００７】
しかしながら、それらは、それらが用いられた後で捨てられることができる単純で安価な物を必要とするファーストフードを利用するセクターにとって完全に不適切な解決策である。
【０００８】
そのセクターに対する最も興味深い解決策は、飲物用の支持物がそれ自体で食品用の容器を形成するものである。
【０００９】
第１のタイプのこの種の支持物において、飲物用のカップおよび食品用の容器が、単一本体を形成してかつ互いに連携して機能する。例えば、（特許文献３）および（特許文献４）において、カップの蓋部が食品用の容器の底部を形成するような方法で、飲物用のカップの上部に連結されるダンボールのホッパー状の部材を用いて食品用の容器が得られる。しかしながら、飲むために、ユーザはカップの蓋部、食品および食品容器を貫通するストローを用いなければならない。
【００１０】
しかしながら、この第１のタイプの支持物は、欠点なしではない。
【００１１】
第１に、ストローがそれを通して挿入されるカップの蓋部によって食品用の容器の底部が形成される事は、食品によって飲物を汚染するリスクがあることを意味する。例えば、フレンチフライが容器内にある場合、塩またはソースが、ストロー用に造られた穴に入り込んで飲物に達するかもしれないリスクがある。
【００１２】
第２に、飲物用の蓋部が販売スタッフによって常に手で扱われるので、それが食品と接触してその後配置されることは衛生リスクがあることを意味する。
【００１３】
さらに、食品を飲物より先に食べ終わる場合、そのタイプの支持物については、カップの蓋部およびストローが食品によって汚れているので、残りを捨てて、カップだけを持ち続けることは現実的に可能でない。
【００１４】
部分的に逆にされるとはいえ、食品用の容器がカップの蓋部を形成する（特許文献５）における解決策の場合に、類似した問題がまた見いだされる。
【００１５】
対照的に、その発明の概念が本発明の実施態様を同様に包含する更なる従来技術タイプにおいて、単一物が、一方では食品用の容器を形成し、かつ他方では飲物を含有するカップ／ボトル用の支持物を形成する。
【００１６】
この種の解決策の例が、（特許文献６）、（特許文献７）、（特許文献８）、（特許文献９）内におよび（特許文献１０）内に記述される。
【００１７】
この従来技術解決策の全てにおいて、支持物が主に水平に延在し、それが、並んで配置される少なくとも２つの部分を備える。第１のプレート／トレー形状の部分が食品を含有するように設計され、第２の部分が、カップが挿入されることができるホルダを形成する。
【００１８】
従来の解決策より便利であるとはいえ、これらも欠点なしではない。
【００１９】
主要な欠点は、前記タイプの支持物が支えるのが容易でないことである。実際、ユーザは１つの縁部で支持物を、すなわちカンチレバー−スタイルで突き出している重量の全てを保持しなければならない。問題の重量が６／７００グラムを容易に上回る可能性があるので、ユーザが支持物を水平にし続け、かつ彼の指でつかみ続けるために腕を常に直角に曲げるように保たなければならないので、その突き出す方法でそれらを長い時間の間支持するのは疲れるかもしれない。
【００２０】
第２に、容器がつかまれる場所に対して、重量が平衡を失っているので、食品または飲物のどちらかをこぼすリスクが常にある。
【００２１】
第３に、この種の支持物は通常、プラスチック材料を成形することによって作り出されなければならず、製造コストに負の影響を伴う。
【００２２】
最後に、一方が食品を含有し他方が飲み物を含有する（または両方共食品用または両方共飲物用の）、２つの別々の受け器を支持するように設計された従来技術容器が存在しないことに注意されるべきである。
【先行技術文献】
【特許文献】
【００２３】
【特許文献１】米国特許第７４５３８６９号明細書
【特許文献２】米国特許第６０６００９７号明細書
【特許文献３】米国特許第５７２５１１７号明細書
【特許文献４】米国特許出願第２００５／０１３３５８０号明細書
【特許文献５】米国特許出願第２００３／０８９７２５号明細書
【特許文献６】米国特許出願第２００６／０２６１０７５号明細書
【特許文献７】米国特許出願第２００４／００８４４５８号明細書
【特許文献８】米国特許出願第２００４／００４０８８２号明細書
【特許文献９】米国特許出願第２００６／０１１８４５３号明細書
【特許文献１０】米国特許第５１８４７５０号明細書
【発明の概要】
【発明が解決しようとする課題】
【００２４】
この状況において、本発明の基礎を形成する技術目的は、上述の欠点を克服する移動中に消費されるべき食品および／または飲物用の容器を提供することである。
【００２５】
特に、本発明の技術目的は、別々に飲食物を保持するおよび人の手で保持するのに従来技術容器より容易な移動中に消費されるべき食品および／または飲物用の容器を提供することである。
【００２６】
本発明の更なる技術目的は、製造するのが容易なおよび安価な移動中に消費されるべき食品および／または飲物用の容器を提供することである。
【課題を解決するための手段】
【００２７】
特定される技術目的および示される目標は、添付の請求項にて記述する、移動中に消費されるべき食品および／または飲物用の容器およびそれを製造するための方法によって実質的に達成される。
【図面の簡単な説明】
【００２８】
本発明の更なる特徴および利点は、移動中に消費されるべき食品および／または飲物用の容器およびそれを製造するための方法の、いくつかの好ましい、限定されない実施態様を例示する添付の図面を参照して、詳細な説明により明白になり、そこにおいて、
【００２９】
【図１】本発明に従う第１の容器が得られることができる材料の部材の不等角平面図である；
【図２】図１の材料の部材から始める本発明に従う容器を製造するための一連のステップを例示する；
【図３】図１の材料の部材から始める本発明に従う容器を製造するための一連のステップを例示する；
【図４】図１の材料の部材から始める本発明に従う容器を製造するための一連のステップを例示する；
【図５】図１の材料の部材から始める本発明に従う容器を製造するための一連のステップを例示する；
【図６】図１の材料の部材から始める本発明に従う容器を製造するための一連のステップを例示する；
【図７】図１から６のステップの順に従って得られる移動中に消費されるべき食品および／または飲物用の容器を例示する；
【図８】図１の材料の部材の第１の代替実施態様の図である；
【図９】図８の材料の部材によって得られることができる図７の容器の一代替実施態様の図である；
【図１０】図１の材料の部材の第２の代替実施態様の図である；
【図１１】図１０の材料の部材によって得られることができる図７の容器の第２の代替実施態様の図である；
【図１２】本発明に従う第２の容器がそれから得られることができる材料の更なる部材の不等角平面図である；
【図１３】図１２のそれに類似した、しかし２つのノッチなしの材料の部材を折り曲げる最初のステップの不等角平面図である；
【図１４】図１３のそれの後、しかし再び図１２の材料の部材に関する、第２の折り曲げのステップの図である；
【図１５】図１２の材料の部材から得られる移動中に消費されるべき食品および／または飲物用の容器を例示する；および、
【図１６】図１２の材料の部材の一代替実施態様の図である。
【発明を実施するための形態】
【００３０】
添付の図面を参照して、数字１は全体として本発明に従って製造される移動中に消費されるべき食品および／または飲物用の容器を示す。
【００３１】
添付の図面において、平坦な要素上の破線は、用いられる材料がその後それに沿って折り曲げられる線を示すことが注意されるべきである。実際、例示される実施態様において、容器１全体が、それが（有利にはダンボールでできている）主に平坦なような方法で延在する材料２の単一の硬いまたは半分硬い部材を折り曲げることによって得られる。
【００３２】
図７および１５に示すように、本発明によれば、実質的に２つのタイプ：それが受け器内に含有される場合だけ食品を保持することが可能な第１のタイプ（図１５）およびその代わりに（明らかに、受け器がまたそれの中で用いられることができない何の理由もないとはいえ）受け器の必要性なしで直接食品を保持することが可能な第２のタイプの容器１を製造することが可能である。
【００３３】
単純な記述のために、以下に本発明に従う容器１の２つのタイプを製造するための好ましい方法の提示がまず提供され、そして次に、容器１のより一般的な特徴が記述される。
【００３４】
一般に、本発明に従う両方の製造方法は、移動中に消費されるべき少なくとも１つの食品を含有するためのまたは移動中に消費されるべき食品もしくは飲物を含有する第１の受け器を支持するための第１のホルダ３、および移動中に消費されるべき食品または飲物を含有する第２の受け器を支持するための少なくとも第２のホルダ４を備える移動中に消費されるべき食品および／または飲物用の容器１を製造することを意図している。
【００３５】
上述した第２のタイプの容器１（直接食品を保持することが可能なもの）から始めると、好ましい製造方法が、まず、平坦な硬いまたは半分硬い材料２の部材、例えば、四辺形の形状を主に有して上縁部５、下縁部６および２つの横縁部７を備える、食品安全ダンボールの部材を利用するステップを含む。本発明の場面において、四辺形の形状を主に有する表現が、各縁部５、６、７のいずれの特別な成型も考慮に入れることなく、材料２の部材の大まかな形状を指すことに注意されるべきである。従って、その定義は図１の材料２の平坦な部材、および図８のそれ（形状の大まかな定義において下縁部６から外へ突き出す突起８は無視されることができる）、同じく図１０のそれを含む。好ましい実施態様では、材料２の部材は、それに対して垂直でかつ上縁部５のおよび下縁部６の中心を貫通する対称面に対して実質的に対称な形状を有する。
【００３６】
しかしながら、注意されるべきことは、図１、８および１０内に例示される材料の部材は、また、材料２の同じ部材内に、Ｕの上部で残っている材料に接続される、かつ、対照的にその周辺部の残りに沿ってそれから切り離され、その結果、次いでそれが後で詳しく述べるように折り曲げられることができる、材料のフラップ１０の境界を決めるために材料２の部材内に主にＵ型の切れ目９を造る、本発明に従う方法の以降のステップをすでに経た材料２の部材であることである。
【００３７】
Ｕ型の切れ目９はＵの上部が上縁部５に向かうような方向で造られる。有利には、好ましい実施態様では、Ｕは上述の対称面に対して対称である。材料のＵ型のフラップ１０の高さは、それを上縁部５から切り離す材料のバンド１１の高さより大きい。実際、後で詳しく述べるように、材料のフラップ１０の高さは得られる容器１の第１のホルダ３の高さおよび深さの合計と等しい。対照的に、底部で、材料のフラップ１０と下縁部６との間の距離は、要求に従って変化することができる。実際、後で詳しく述べるように、完成した容器１では、材料のフラップ１０と下縁部６との間に位置する材料のバンド１２は第２のホルダ４の一部を形成する。最後に、Ｕの外形に関して、それが例示される実施態様内にどのように不規則な傾向を有するかは、注意されるべきである。実際、一旦容器１が完成されると、形状は最良の第１のホルダ３を提供するように設計された。しかしながら、外形は実施態様に従い変化することができる。
【００３８】
図２から４にて図示するように、この方法は、少なくとも残っている材料に対して、上縁部５の方へ材料のフラップ１０を折り曲げるステップを含む。しかしながら、好ましい実施態様では、材料のフラップ１０はまた、それ自体の上に折り曲げられる。一般に、材料のフラップ１０が材料のフラップ１０と上縁部５との間に位置する材料の部分の少なくとも部分的に実質的に反対側に配置されるが、それから間隔を置かれるまで、この折り曲げのステップは続く（図４）。
【００３９】
特に、好ましい実施態様では、材料のフラップ１０は、Ｕの両端部を接続する第１の湾曲した横折り目線１３に沿って、残りの材料に対しておよそ９０°で平均して折り曲げられ、および、また、第１の折り目線１３から所定の距離に位置する第２の湾曲した折り目線１４に沿っておよび第１の折り目線１３に対して反対の凹状でそれ自体の上におよそ９０°で平均して更に折り曲げられる。（第１の折り目線１３と第２の折り目線１４との間に位置する材料の部分によって形成される）第１のホルダ３の底部の正しい折り曲げおよび正しい形状を可能にするために、第１のホルダ３の底部がホルダの内部の方へわずかに向いている形状を有することを可能にする最初の２本の線間の中間の第３の折り目線１５もまた存在する（図５）。
【００４０】
この方法はさらに、横縁部７と隣接している材料の横方向部分１６が互いに向かって（材料の残りに対しておよびそれ自体の上に）折り曲げられる第２の折り曲げのステップを含む。それおよび材料の折り曲げられたフラップ１０が少なくとも部分的に重ね合わせられるまで、前記横方向部分１６の各々が折り曲げられる（例示される実施態様では、それは材料のフラップ１０に重ね合わせられる横方向部分１６である）。さらに、２つの横方向部分１６が、図６に示すように、それらが少なくとも下縁部６で一方が他方の上に重ね合わせられるような方法で折り曲げられる。好ましい実施態様では、横方向縁部７と隣接している材料の横方向部分１６を折り曲げるステップが、容器１が下縁部６の方へ上縁部５から減少している断面を有するような方法で上縁部５でと比べて下縁部６でより多く材料を折り曲げるステップを含む。換言すれば、折り曲げが完成した時、容器１は概略的に円錐台のそれである全体的な形状を有する。それは有利には、それらが下縁部６の方へ互いに収束するような方法で、横方向縁部７に対してある角度に曲げられる複数の折り目線１７によって達成される。
【００４１】
注意されるべきことは、種々の折り曲げのステップの時間順が、要求に従って変化することができることである。さらに、他の実施態様では、種々の折り目の全てが、折り目線に沿ってではなく、しかし、単に材料を曲げることによって得られることができる。
【００４２】
本発明に従う方法の最終の必須のステップが、互いに対してそれらの最終位置に材料のフラップ１０および他の折り曲げられた横方向部分１６を固定するステップを含む（図６内に例示されるもの）。例示される実施態様ではそれが接着することによって実行されるとはいえ、他の実施態様では、同じ結果がまた、他の方法を用いて達成されることができる（例えば、靴箱を造るような折り曲げられたダンボールを用いる三次元物体の製造で知られているそれに類似した方法で材料２の部材に造られる適切な要素に溝をつけるかまたは適所にくるみ込むことによって）。
【００４３】
次いでそれからなされる使用に起因して一旦容器１が完成すると、それはただ（それぞれ上下の縁部に対応する）上部および下部だけでなく、主前面１８（図７内に示される）、主後面１９（図６−種々の折り曲げられた部分が重ね合わせられる表面）および２つの横方向二次表面２０をもまた備える。
【００４４】
上述した第１のタイプの容器１（関連の受け器を支持することによって食品を保持することが可能なだけのもの）を参照して、再びこの場合好ましい製造方法が、平坦な硬いまたは半分硬い材料２の部材、例えば、四辺形の形状を主に有して上縁部５、下縁部６および２つの横方向縁部７を備えるダンボールの部材を最初に利用するステップを含む。注意すべきことは、本発明の場面において、それに加えられる各縁部５、６、７の任意の特別成型または任意の突起を考慮に入れずに、四辺形の形状を主に有する表現が、材料２の部材の大まかな形状を指すことである。従って、その定義は図１２の材料２の平坦な部材および図１３のそれ、同じく図１６のそれを含む（形状の大まかな定義では、完成した容器１内にハンドル３３を形成するために上縁部５から外へ突き出す２つの部分３２は、無視されることができる）。好ましい実施態様では、材料２の部材はそれに対して垂直でかつ上縁部５のおよび下縁部６の中心を貫通する対称面に対して実質的に対称である形状を有する。
【００４５】
しかしながら、注意すべきことは、図１２および１６内に例示される材料の部材は、本発明に従って材料２の部材内にそれが完成した容器の中で下部のホルダへのアクセスを可能にする開口２９を造る、前記方法の更なるステップをすでに経てもいる材料２の部材であることだ。有利には、好ましい実施態様において、開口２９は上述の対称面に対して対称でおよびそれを上縁部５から切り離す材料のバンド１１およびそれを下縁部６から切り離す材料のバンド１２を識別する。完成した容器の中で、２つのバンド１１および１２はそれぞれ第１のホルダ３のおよび第２のホルダ４の一部を形成する。
【００４６】
この方法はさらに、横方向縁部７と隣接している材料の横方向部分１６が図１３から１５にて図示したように、互いの方へ（材料の残りに対しておよびそれ自身の上に）折り曲げられる折り曲げのステップを含む。それらが第１のバンド１１および第２のバンド１２の両方で他方の上に一方を重ね合わせられるまで、前記横方向部分１６の各々が折り曲げられる。好ましい実施態様では、横方向縁部７と隣接している材料の横方向部分１６を折り曲げるステップが、容器１が下縁部６の方へ上縁部５から減少している断面を有するような方法で上縁部５でと比べて下縁部６でより多く材料を折り曲げるステップを含む。換言すれば、折り曲げが完成した時、容器１は概略的に円錐台のそれである全体的な形状を有する。それは有利には、それらが下縁部６の方へ互いに収束するような方法で、横方向縁部７に対してある角度に曲げられる複数の折り目線１７によって達成される。
【００４７】
注意されるべきことは、種々の折り曲げのステップの時間順が、要求に従って変化することができることである。さらに、他の実施態様では、種々の折り目の全てが、折り目線に沿ってではなく、しかし、単に材料を曲げることによって得られることができる。
【００４８】
本発明の方法の最終の必須のステップが、互いに対してそれらの最終位置に折り曲げられた横方向部分１６を固定するステップを含む（図１５内に例示されるもの）。例示される実施態様ではそれが接着することによって実行されるとはいえ、他の実施態様では、同じ結果がまた、他の方法を用いて達成されることができる（例えば、靴箱を作るような折り曲げられたダンボールを用いる三次元物体の製造で知られているそれに類似した方法で材料２の部材に造られる適切な要素に溝をつけるかまたは適所にくるみ込むことによって）。
【００４９】
最後に、再びこの場合に、次いでそれからなされる使用に起因して一旦容器１が完成すると、それはただ（それぞれ上下の縁部に対応する）上部および下部だけでなく、主前面１８（図１５内に示される）、主後面１９（種々の折り曲げられた部分が重ね合わせられる表面）および２つの横方向の二次表面２０をもまた備える。
【００５０】
図８から１１が、記述される第１の方法の２つの可能な代替実施態様を示し、一方図１３および１６が第２の方法の２つの代替実施態様を示す。しかしながら、それらが両立すると仮定するならば、１つの方法に対して記述される代替実施態様の全てが他の方法に適用されさえすることができることが注意されるべきである。
【００５１】
すでに示されたように、図８および９は材料２の開始部材がまた、突起８と共に作り出される場合を示す。この場合、突起８は第２のホルダ４の底部要素２１を形成するためにシートの残りに対して９０°でおよびそれ自体の上に９０°で折り曲げられなければならない。突起８の折り曲げられた外端部は、材料２の部材の２つの横方向部分１６の重ね合わせられた部分の間に次いで固定されることができる。
【００５２】
対照的に、図１０および１１において、この方法に関する唯一の代替実施態様が、Ｕ型の切れ目９から始めて外へ移動する複数の小さな横切れ目２２を造る追加的なステップから成る。更に詳細に下記で説明されるように、前記切れ目は第２のホルダ４内に受け器をロックするために実際には折り曲げられることができる一組のタブ２３を識別する。
【００５３】
タブ２３の使用に代わるものとして、受け器がまた、図１２に示すように、横方向部分１６内に鏡面法で造られる２つのノッチ３５によって形成されるスリット３４を用いて、第２のホルダ内にロックされることができる。実際、スリット３４は２つのノッチ３５を重ね合わせることによって形成される。
【００５４】
対照的に、図１３は、スリット３４のない容器１の場合および第２の受け器をロックするための他のシステムを示す。
【００５５】
図１２から１６にて図示したように、他の実施態様において、この方法がまた、それぞれのホルダ３、４内に配置される受け器を下から支持するために完成した容器１内の内部に折り曲げられることができる要素３７の境界を決めるために材料の部材内にいくつかの小さな切れ目３６を造るステップを含むことができる。
【００５６】
最後に、図１６内に示される場合では、上縁部５は支持用ハンドル３３を形成するために完成した容器１内に互いに重ね合わせられるように設計された２つの突出部分３２を備える。しかしながら、他の実施態様では、ハンドルはまた、他の方法で得られることができる。
【００５７】
上記の記述は、本発明に従う容器１の好ましい実施態様を製造するための出願人によって発明された方法を包含する。
【００５８】
対照的に、下記の記述は容器１それ自体の詳細を提供し、それは明らかに、要求に従い、ちょうど今記述されたもの以外の方法を用いて製造されることができさえする。
【００５９】
本発明によれば一般に、容器１は、移動中に消費されるべき少なくとも１つの食品（例えばフレンチフライ、ポップコーン、その他）を含有するためのまたは移動中に消費されるべき食品または飲物を含有する第１の受け器を支持するための、第１のホルダ３を形成する第１の部分２４、および第１の部分２４に接続されてかつ食品または飲物を含有する第２の受け器を支持するための第２のホルダ４を形成する少なくとも第２の部分２５を備える。図１から１１内に例示される実施態様では、第１の部分２４は、少なくとも下壁２６および下壁２６に連結される少なくとも周辺横方向壁２７を備え、したがって、横方向壁２７と共に少なくとも第１のホルダ３を形成する。対照的に、図１２から１６の場合では、第１のホルダ３は、第１の部分２４によって形成されるリングの内側部分によって形成されて（直接食品でなく）第１の受け器だけを支持するように設計されている。
【００６０】
有利には、例示された実施態様の全てにおいて、リング状である第２の部分２５の内側部分によって、第２のホルダ４が形成される。
【００６１】
本発明の創意に富んだ態様によれば、容器１の使用のための位置において、第１のホルダ３および第２のホルダ４は、一方が他方の上におよび一方が他方の下に配置され、ならびに、それらは、食品または第１の受け器をそれに／から挿入して除去するための第１のホルダ３への、および第２の受け器をそれに／から挿入して除去するための第２のホルダ４へのユーザ独立アクセスを可能にするような方法で互いに間隔を置かれる。
【００６２】
好ましい実施態様では、第１のホルダ３は、第２のホルダ４より上に配置される。しかしながら、他の実施態様では、第１のホルダ３が第２のホルダ４の下に配置されることが可能でさえある。任意の場合において、有利には好ましい実施態様では、第１のホルダ３および第２のホルダ４が使用中に一方の重心の垂直投影が他方を通過するというような方法で、互いに実質的に位置合わせされる。
【００６３】
好ましい実施態様では、容器１はさらに第１の部分２４におよび第２の部分２５に固定されてかつ下部ホルダへのアクセスのための少なくとも１つの開口２９を形成する少なくとも第３の接続部分２８を備える。特に、例示された実施態様において、第３の部分２８は、第１の部分２４の横方向壁でおよび第２の部分２５での両方で単一部材を形成する２つの横方向ショルダを備える。開口２９はまた、第１の部分２４と第２の部分２５との間の前面１８に存在する自由空間によって形成される。
【００６４】
受け器の保持を容易にするために、容器１は有利には第１のホルダ３内にまたは第２のホルダ４内に挿入される受け器を底部から保持するための少なくとも第１の保持手段３０を備える。例示される実施態様では第１の保持手段３０は、第２のホルダ４（図７および１５）に関しては第２の部分２５によって形成されるリングの内側部分および第１のホルダ３（図１５）に関しては第１の部分２４によって形成されるリングの内側部分を少なくとも部分的に備えることができ、部分２４、２５は下方へ減少する断面で作られている。実際、このように、適切に大きさを調節することにより、（飲物用のカップのような）円錐台などの形状を有する従来の受け器がリングの内側部分内にしっかりとくさびでとめられることを保証することが、可能である。
【００６５】
さらに、またはそれに代わるものとして、第１の保持手段３０が第１のホルダ３内にまたは第２のホルダ４内に取り付けられる少なくとも１つの底部要素２１を備えることができる。その実施態様が図９内の第２のホルダに対して例示され、ここで、底部要素２１は上述の折り曲げられた突起８を備える。底部要素２１は、さもなければ第２のホルダ４の底部内の穴を通して落ちる可能性がある（小さなプラスチックボトルのような）円柱形の受け器を保持するためにとりわけ有利である。対照的に、図７の場合には、第１のホルダ３での第１の保持手段３０の効果は、下壁２６によって保証される。
【００６６】
しかしながら、他の実施態様では、第１の保持手段３０は第１のホルダ３内に（図１２から１６内のように）または第２のホルダ４内にそれぞれ配置され、かつホルダ３、４の内部の方へカンチレバー−スタイルで延在する一つ以上の突出要素３７を備えることができる。
【００６７】
図１０および１１に示すように、容器１はまた、上部から第１のホルダ３内にまたは第２のホルダ４内に挿入される受け器を保持し、したがって、受け器を関連のホルダ４から偶然に離れることから防ぐための第２の保持手段を備えることができる。
【００６８】
図１１内に例示される第１の好ましい実施態様では、第２の保持手段はそれらが、その除去を防ぐ、第２のホルダ４内に含有される受け器をロックする第１の位置（例示されない）とそれらがその除去を可能にする第２の位置（図１０内に例示される位置）との間を移動することが可能な一つ以上のロックタブ２３を備える。
【００６９】
図１０内に例示される実施態様の場合、容器１を形成する材料２の部材の横方向縁部に対して実質的に垂直である３つの切れ目によって境界を決められる、（異なる受け器サイズに対して）容器１の各側に対する２枚のタブ２３がある。タブ２３が容器１の内部の方へ折り曲げられる時、第２の位置から第１の位置への各タブ２３の通過が生じる。
【００７０】
対照的に、図１５内に示される第２の実施態様では、第２の保持手段が受け器の上部（例えばカップの縁部）が挿入されることができる少なくとも１つのスリット３４を備える。
【００７１】
有利には、スリット３４は第３の接続部分２８に作られる。
【００７２】
最後に、例示されない他の実施態様では、容器はまた、図１６内に示されるもののような、支持用ハンドル３３のような他の要素を備えていることができる。
【００７３】
本発明に従う容器１の使用は、上記の記述からすぐに生じる。
【００７４】
実際、実際問題として容器１は実質的に垂直に（下縁部６を下方へ）配置され、および、食品または第１の受け器が第１のホルダ３内に挿入される。ユーザがまた、（例えば飲物用の、カップまたは小さなボトルのような）第２の受け器を保持している場合、彼は、（例示される実施態様では第３の部分２８によって規定される自由空間を通して）上方から第２のホルダ４内にそれを挿入することができる。
【００７５】
その時、ユーザは片手で容器１の任意の部分を保持する一方、飲食のために彼の他方の手を用いることができる。飲物用の受け器がそれの中に挿入されるストローを有する場合、ストローが前部開口２９で外へ突き出すように造られることができるので、ユーザは第２のホルダ４から受け器を除去せずにそれから飲むことができる。
【００７６】
ダンボールのような半分硬い材料でできている容器１が用いられる場合に注意されるべきことは、それが関連のホルダ３、４内に挿入される時、受け器が円錐台の形状などを有する場合、その重量は、それが各部２４、２５を変形させて、多角形の断面を備えたリングを事実上円形であるかまたはそれ自体のものにマッチするように形状化される断面を備えたリングに変化させることを可能にすることである。寸法に従い、図７または１５の容器１の場合には、受け器は下向きの方向に第２の部分２５から部分的に出てくる。
【００７７】
本発明は、重要な利点をもたらす。
【００７８】
第一に、本発明に従う容器は、一方では２つの品目（食品および／または飲物）が別々に保持されることを可能にし、かつ他方では従来技術容器と比べて支えるのが絶対的に簡単である。実際、下部をさらに保持するために、垂直にそれをつかむことで容器の上部を支えるので十分である。さらに、容器は曲がった腕（飲むかまたは食品をピックアップする時の典型的位置）でまたは胴体に沿って伸ばされる腕で容易に支持されることができる。実際、容器がその重心と比べてより高くつかまれることができるので、重力が常に容器を垂直に、すなわち、その使用を意図される位置に保持する傾向があるので、偶然に内容物をこぼすことは、事実上不可能である。
【００７９】
さらに、本発明に従う容器は折り曲げられた材料の単一シートからさえ容易に造られることができ、それが明らかに安価でおよび使い捨ての品目としてさえ問題なしでそのように用いられることができることを意味する。
【００８０】
最後に、注意されるべきことは、本発明は製造するのが相対的に容易であることおよび、本発明を実現するのに結びつけられるコストがあまり高くないことである。
【００８１】
上記した本発明は、変更されることができておよび発明の概念の範囲からそれによって逸脱することなくいくつかの方法で適応されることができる。
【００８２】
さらに、本発明の全ての詳細は他の技術的等価要素および用いられる材料と置換されることができ、同じく、種々の構成要素の形状および寸法は、要求に従って変化することができる。
【符号の説明】
【００８３】
１  本発明に従う容器
２  材料
３  第１のホルダ
４  第２のホルダ
５  上縁部
６  下縁部
７  横縁部
８  突起
９  Ｕ型の切れ目
１０  材料のフラップ
１１  材料のバンド
１２  材料のバンド
１３  第１の湾曲した横折り目線
１４  第２の湾曲した折り目線
１５  第３の折り目線
１６  材料の横方向部分
１７  折り目線
１８  主前面
１９  主後面
２０  横方向二次表面
２１  底部要素
２２  横切れ目
２３  タブ
２４  第１の部分
２５  第２の部分
２６  下壁
２７  周辺横方向壁
２８  第３の接続部分
２９  開口
３０  第１の保持手段
３２  部分
３３  ハンドル
３４  スリット
３５  ノッチ
３６  切れ目
３７  突出要素
【図１】
0006041106.tif 000002
【図２】
0006041106.tif 000003
【図３】
0006041106.tif 000004
【図４】
0006041106.tif 000005
【図５】
0006041106.tif 000006
【図６】
0006041106.tif 000007
【図７】
0006041106.tif 000008
【図８】
0006041106.tif 000009
【図９】
0006041106.tif 000010
【図１０】
0006041106.tif 000011
【図１１】
0006041106.tif 000012
【図１２】
0006041106.tif 000013
【図１３】
0006041106.tif 000014
【図１４】
0006041106.tif 000015
【図１５】
0006041106.tif 000016
【図１６】
0006041106.tif 000017